(57)【要約】【課題】電動車両用モータの油冷却構造において、モータの冷却性を向上させることである。【解決手段】油冷却構造２００は、ケース２１と、ケースの内側に嵌合されたステータコア３５を有するモータ３２を含む。ケースとステータコアとの間において周方向の複数位置に軸方向に延びる油溝が形成される。ケースの内側面において油溝の各々と内側が連通する筒部が形成され、筒部とステータコアの軸方向一部外周面との間で周方向が開口された第１環状空間１３６が形成される。ケースは、複数の油溝の少なくとも１つ、もしくは第１環状空間に接続され、外部からの油を導入する油導入ポート２１ｂを含む。ステータコアの軸方向両端部の外周側から、ステータの複数のコイルエンドに向けて油が噴射される。【選択図】図５
2020120556.tif 000002
【特許請求の範囲】
【請求項１】
電動車両用モータの油冷却構造であって、
ケースと、
前記ケースの内側に嵌合された筒状のステータコアであって周方向複数位置の内周側にコイルが巻回されたステータコアを有するステータと、前記ステータの内側に配置されたロータとを含むモータと、を備え、
前記ケースと前記ステータコアとの間において周方向の複数位置に軸方向に延びる油溝が形成されており、
前記ケースの内側面において、前記油溝の各々と内側が連通する筒部が形成され、前記筒部と前記ステータコアの軸方向一部外周面との間で周方向が開口された第１環状空間が形成されており、
前記ケースは、複数の前記油溝の少なくとも１つ、もしくは前記第１環状空間に接続され、外部からの油を導入する油導入ポートを含み、
前記ステータコアの軸方向両端部の外周側から、前記ステータの軸方向における前記コイルの両端部である複数のコイルエンドに向けて油が噴射される、
電動車両用モータの油冷却構造。
【請求項２】
請求項１に記載の電動車両用モータの油冷却構造において、
前記油溝として、前記ステータの外周面及び該面と対向する前記ケースの内側面の周方向の複数位置に、複数のケース油溝と複数のステータ油溝とが形成されており、
前記ステータコアの軸方向両端部の外周側から、前記複数のコイルエンドに向けて油が噴射される、
電動車両用モータの油冷却構造。
【請求項３】
請求項１または請求項２に記載の電動車両用モータの油冷却構造において、
前記ステータコアの軸方向第２端面は、前記ケースの内側面に形成された段差面に突き当てられ、
前記ケースにおいて前記段差面には、外周側から前記ロータ中心に向かう方向に溝が形成されており、
前記ステータコアの軸方向第１端部の外周側から、前記溝の内側を介して、前記ステータコアの軸方向第２端部側の前記コイルエンドに向けて油が噴射される、
電動車両用モータの油冷却構造。
【請求項４】
請求項１から請求項３のいずれか１項に記載の電動車両用モータの油冷却構造において、
前記第１環状空間が、前記ステータコアの軸方向第１端面側が開放されるように形成されたものであり、
前記ケースの内側面に、前記第１環状空間の開放部に隣接して配置された環状プレートを備え、
前記第１環状空間から、前記環状プレートの内周面と前記ステータコアの外周面との間の隙間を介して、前記第１環状空間側の前記コイルエンドに向けて油が噴射される、
電動車両用モータの油冷却構造。
【請求項５】
請求項４に記載の電動車両用モータの油冷却構造において、
前記環状プレートは、前記第１環状空間の開放部に隣接して配置された内環状プレートと、前記内環状プレートにおける前記ステータコアとは反対側に重ねるように配置され、前記内環状プレートより内径が小さい外環状プレートとを含み、
前記第１環状空間から、前記内環状プレートの内周面と前記外環状プレートの内周縁部の側面とで形成される第２環状空間を介して、前記第１環状空間側の前記コイルエンドに向けて油が噴射される、
電動車両用モータの油冷却構造。
【請求項６】
請求項５に記載の電動車両用モータの油冷却構造において、
前記内環状プレートの内周面の複数位置に油噴出溝が形成されている、
電動車両用モータの油冷却構造。
【請求項７】
請求項４に記載の電動車両用モータの油冷却構造において、
前記ケースの内側面と前記環状プレートの外周面との間に設けられ、前記ケースに対する前記環状プレートの回転を阻止するプレート側凹凸係合部を含む、
電動車両用モータの油冷却構造。
【請求項８】
請求項４に記載の電動車両用モータの油冷却構造において、
前記環状プレートは、内周面及び外周面がそれぞれ円形の円板状である、
電動車両用モータの油冷却構造。
【請求項９】
請求項１から請求項８のいずれか１項に記載の電動車両用モータの油冷却構造において、
前記ケースの内側面と前記ステータコアの外周面との間に設けられ、前記ケースに対する前記ステータコアの回転を阻止するコア側凹凸係合部を含む、
電動車両用モータの油冷却構造。
【請求項１０】
請求項１に記載の電動車両用モータの油冷却構造において、
前記ステータコアは、前記ケースに対し焼き嵌めまたは圧入で固定され、
前記ケースには前記油溝としてケース油溝が設けられ、
前記ステータコアの外周面は、軸方向に延びる溝がない単純円筒面である、
電動車両用モータの油冷却構造。
【発明の詳細な説明】
【技術分野】
【０００１】
本発明は、電動車両用モータの油冷却構造に関する。
【背景技術】
【０００２】
従来から、特許文献１に記載されているように、電動車両の前側に電動モータ付きのトランスミッションを配置し、その電動モータで発生した動力を、トランスミッションケース内の差動ギア装置及び左右２つの車軸を介して左右２つの前輪に伝達し、前輪を回転させる構成が知られている。この構成では、電動モータを車両の走行風により冷却している。
【先行技術文献】
【特許文献】
【０００３】
【特許文献１】米国特許第８９３６１２０号明細書
【発明の概要】
【発明が解決しようとする課題】
【０００４】
ところで電動車両用のモータをトランスミッションのケース内に配置し、ケース内においてモータの上側に取り付けられた油管からモータに油を噴出させ、モータを油冷却する場合がある。しかしながら、この構造では、モータの周方向の多くの部分に油を接触させるのは困難でありモータの冷却性を向上させる面から改良の余地がある。例えば、モータの周方向の下側部分では油がモータから離れて流れ落ちるので、モータの周方向について油が接触する面を多くすることができず、モータを効率よく冷却させる点で改良の余地がある。
【０００５】
本発明の目的は、電動車両用モータの油冷却構造において、モータの冷却性を向上させることである。
【課題を解決するための手段】
【０００６】
本発明に係る電動車両用モータの油冷却構造は、電動車両用モータの油冷却構造であって、ケースと、前記ケースの内側に嵌合された筒状のステータコアであって周方向複数位置の内周側にコイルが巻回されたステータコアを有するステータと、前記ステータの内側に配置されたロータとを含むモータと、を備え、前記ケースと前記ステータコアとの間において周方向の複数位置に軸方向に延びる油溝が形成されており、前記ケースの内側面において、前記油溝の各々と内側が連通する筒部が形成され、前記筒部と前記ステータコアの軸方向一部外周面との間で周方向が開口された第１環状空間が形成されており、前記ケースは、複数の前記油溝の少なくとも１つ、もしくは前記第１環状空間に接続され、外部からの油を導入する油導入ポートを含み、前記ステータコアの軸方向両端部の外周側から、前記ステータの軸方向における前記コイルの両端部である複数のコイルエンドに向けて油が噴射される、電動車両用モータの油冷却構造である。
【発明の効果】
【０００７】
本発明に係る電動車両用モータの油冷却構造によれば、油導入ポートから導入された油が、ケース内の第１環状空間で周方向の多くの部分に供給され、周方向の多くの部分から油をステータの軸方向におけるコイルの両端部である複数のコイルエンドに向けて噴射できる。このため、モータの周方向について油が接触する面を多くすることができるので、モータの冷却性を向上できる。
【図面の簡単な説明】
【０００８】
【図１】本発明に係る実施形態のモータの油冷却構造を含む電動車両の側面図である。
【図２】実施形態のモータの油冷却構造を有する移動体駆動ユニットを、車両の左右方向の一方側から見た図である。
【図３】図２のＡ−Ａ断面図である。
【図４】図２の移動体駆動ユニットを後側から見た図である。
【図５】図４のＢ−Ｂ断面図である。
【図６】図５のＣ部拡大図である。
【図７Ａ】図２のＤ−Ｄ断面図である。
【図７Ｂ】一部を省略して示している図７ＡのＥ部拡大図である。
【図８】図２のＧ−Ｇ断面図である。
【図９】図７Ａにおいて、モータ及びケーブルを省略して示す図である。
【図１０】一部を省略して示している図２のＨ−Ｈ断面図である。
【図１１】図２のＩ−Ｉ断面図である。
【図１２】図２とは配管継手の取付位置を変更した場合における図２のＪ部拡大相当図である。
【図１３】実施形態の別例のモータの油冷却構造を有する移動体駆動ユニットにおいて、図６に対応する図である。
【発明を実施するための形態】
【０００９】
以下、図面を用いて本発明の実施の形態を詳細に説明する。以下では、モータの油冷却構造を含む電動車両が、荷台を有し、森林、湿地、荒地、岩山等の不整地を走行するオフロード型多用途車両（Utility Vehicle）である場合を説明するが、電動車両は、除雪作業、掘削作業、土木作業、農作業、芝草刈りのいずれか１つ以上の作業を行う作業機を有する作業車両、あるいはバギーと呼ばれるAll Terrain Vehicle（ＡＴＶ）や、レクリエーショナルビークル（Recreational Vehicle（ＲＶ））や、レクリエーショナルオフハイウェイビークル（Recreational Off-highway Vehicle（ＲＯＶ））としてもよい。以下ではすべての図面において同様の要素には同一の符号を付して説明する。
【００１０】
図１から図１２は、実施形態を示している。図１は、実施形態のモータの油冷却構造２００を含む電動車両１０の側面図である。図２は、油冷却構造２００を有する移動体駆動ユニット２０を、車両の左右方向の一方側から見た図である。以下で説明する一部の図面では、前後方向をＸで示し、左右方向をＹで示し、上下方向をＺで示している。また、前側をＦで示し、左側をＬで示し、上側をＵで示している。前後方向Ｘは所定の第１方向に相当し、左右方向Ｙは第２方向に相当し、上下方向Ｚは第３方向に相当する。Ｘ，Ｙ，Ｚは互いに直交する。
【００１１】
図１に示す電動車両１０は、車体を構成するフレーム１１の上側に基礎構造であるプラットフォーム１２が固定され、フレーム１１の前側（図１の左側）にはフロントカバー１３が固定される。以下、電動車両１０は車両１０と記載する。プラットフォーム１２において、フロントカバー１３の後側には運転席１４が固定され、運転席１４の後側には荷台１９が固定される。車両１０は、進行方向である前後方向Ｘの両側にそれぞれ車輪を備える。具体的には、車両１０は、フレーム１１の前後方向両側に支持された車輪である左右２つの前輪１５及び左右２つの後輪１７と、前後両側に配置された移動体駆動ユニット２０、４０とを備える。
【００１２】
前側の移動体駆動ユニット２０は、動力源であるモータ（電動モータ）３２の動力により、左右２つの前輪１５を駆動するために用いられる。後側の移動体駆動ユニット４０は、動力源であるエンジン４１の動力により、左右２つの後輪１７を駆動するために用いられる。
【００１３】
車両１０のアクセルペダル８２が踏み込み操作されると、その操作量がペダルセンサ（図示せず）で検出され、その検出信号が制御装置（図示せず）に送信される。制御装置は、その信号に応じて、前側の移動体駆動ユニット２０が含むモータ３２を駆動させるように制御信号を出力する。モータ３２は、電源であるバッテリ（図示せず）から電力を供給されて駆動する。オペレータが四輪駆動モードを選択した場合、前記制御装置は前後輪の周速を同期させるように該モータ３２と、後側の移動体駆動ユニット４０を駆動するエンジン４１とを協調制御する。
【００１４】
図３は、図２のＡ−Ａ断面図である。前側の移動体駆動ユニット２０は、動力伝達機構８８及び前側の差動ギア装置９８を含んで形成される。後述のように、モータ３２の動力は、動力伝達機構８８を介して差動ギア装置９８に伝達される。差動ギア装置９８は、車両１０の前側で左右方向Ｙの両側に分かれて配置され左右方向に延びる２つの出力軸１１０から動力を出力する。これにより、２つの出力軸１１０のそれぞれに、車軸（図示せず）を介して連結された前輪１５が駆動される。
【００１５】
後側の移動体駆動ユニット４０は、エンジン４１と、動力伝達部４３と、車両１０の後側で左右方向Ｙの両側に分かれて配置され左右方向Ｙに延びる２つの出力軸（図示せず）とを含んで形成される。エンジン４１は、アクセルペダル８２の踏み込み操作に応じて回転速度が高くなるように制御装置（図示せず）により制御される。動力伝達部４３は、ベルト式無段変速装置であるＣＶＴ４４、歯車変速装置（図示せず）、及び後側の差動ギア装置（図示せず）を含む。ＣＶＴ４４は、アクチュエータにより減速比が制御される。ＣＶＴ４４は、エンジン４１の回転速度が高くなるほど、入力プーリＰＩにおけるベルトの巻き掛け径を大きくして減速比を小さくする。これにより、車両１０の高速走行での燃費向上を図れる。エンジン４１の動力は、ＣＶＴ４４、歯車変速装置、及び後側の差動ギア装置を介して、２つの出力軸に伝達される。これにより、２つの出力軸のそれぞれに、車軸（図示せず）を介して連結された後輪１７が駆動される。
【００１６】
次に、図２〜図１２を用いて、前側の移動体駆動ユニット２０を説明する。図４は、移動体駆動ユニット２０を後側から見た図である。図５は、図４のＢ−Ｂ断面図である。図６は、図５のＣ部拡大図である。図７Ａは、図２のＤ−Ｄ断面図である。図７Ｂは、一部を省略して示している図７ＡのＥ部拡大図である。図８は、図２のＧ−Ｇ断面図である。図９は、図７Ａにおいて、モータ３２及びケーブル３９を省略して示す図である。図１０は、一部を省略して示している図２のＨ−Ｈ断面図である。図１１は、図２のＩ−Ｉ断面図である。
【００１７】
移動体駆動ユニット２０は、モータの油冷却構造２００を含んでいる。モータの油冷却構造２００は、ケース２１と、モータ３２と、油導入継手１１８とを含んで形成される。本例の油冷却構造２００は、ケース２１内に配置されたモータ３２を、油導入継手１１８を通じて外部から導入された油によって油冷却する際に、モータ３２の周方向について油が接触する面を多くすることにより、モータ３２の冷却性を向上する。以下、移動体駆動ユニット２０及び油冷却構造２００の各要素を具体的に説明する。
【００１８】
モータ３２と各種伝動ギアとを内装するケース２１は、前側Ｆに配置された前側ケース要素２２と、後側に配置された有底筒状の後側ケース要素２６と、カバー２９とを複数のボルトＢ１で結合することにより一体化されて形成される。前側ケース要素２２は、後側ケース要素２６の前端（図３の右端）に突き当てられ、カバー２９は、後側ケース要素２６の後端（図３の左端）に突き当てられる。そして、前側及び後側ケース要素２２，２６とカバー２９とを前後方向Ｘに延びる共通のボルトＢ１により共締めすることで、部品点数の削減を図ると共に、小型化を図っている。前側及び後側ケース要素２２，２６は、ボルトＢ２によっても結合される。カバー２９は、後側ケース要素２６の後端開口を塞いでいる。この状態でケース２１の内側には、モータ収容部Ｓａと第１ギア収容部Ｓ１と第２ギア収容部Ｓ２とが形成される。
【００１９】
モータ収容部Ｓａは、カバー２９で後端が塞がれた後側ケース要素２６の内側空間によって形成される。モータ収容部Ｓａには、モータ３２が配置される。図３、図５に示すように、第１ギア収容部Ｓ１は、前側ケース要素２２の前後方向Ｘ中間部の内側に形成された仕切り部２３より後側（図３、図５の左側）に形成される。第２ギア収容部Ｓ２は、前側ケース要素２２の仕切り部２３より前側（図３、図５の右側）に形成される。これにより、第１ギア収容部Ｓ１は、モータ収容部Ｓａと第２ギア収容部Ｓ２との間に配置される。したがって、モータ収容部Ｓａは、ケース２１の内側の後側に形成され、第２ギア収容部Ｓ２は、ケース２１の内側の前側Ｆに形成される。
【００２０】
第１ギア収容部Ｓ１には、後述のモータ軸３３の前側部分（図５の右側部分）とギア軸９０とが配置される。第２ギア収容部Ｓ２には、後述の差動ギア装置９８が配置される。第１ギア収容部Ｓ１は、中間ギア収容部に相当する。ギア軸９０は、第２ギア部９５を有するギア機構９４とともに動力伝達機構８８を形成する。第２ギア部９５は、中間ギアに相当する。動力伝達機構８８は、ケース２１の内側に配置され、モータ軸３３と差動ギア装置９８との間で動力を伝達する。ケース２１の内側の下部には、モータ３２及び各種ギア等の冷却や潤滑のための油が、攪拌抵抗を考慮して所定量だけ溜まっている。図７Ａ、図８、図１０、図１１に示す横方向の実線Ｔは、油面（上面）を示している。３つの収容部Ｓａ、Ｓ１、Ｓ２は、収容部Ｓａから収容部Ｓ２に向かって油が流れるようにするために、互いに油通路１３０で連通し、かつ、収容部Ｓａから収容部Ｓ２に向かって底部の高さが徐々に低くなるように形状を設定している。
【００２１】
油通路１３０は、第２ギア部９５が配置される第１ギア収容部Ｓ１、第１貫通部１３１、及び第２貫通部１３２を有する。図３に示すように、ケース２１は、後側ケース要素２６の前端部であり、モータ収容部Ｓａと第１ギア収容部Ｓ１とを仕切る仕切り壁２６ａを含む。図５、図１０に示すように第１貫通部１３１は、後述のギア軸９０の下側において、油通路１３０の前端部に形成され、前後方向Ｘに延びて仕切り部２３を貫通し、第１ギア収容部Ｓ１と第２ギア収容部Ｓ２とを通じさせる。図１０では、第１貫通部１３１は、複数設けられるが、１つのみ、または３つ以上でもよい。図３、図７Ａ〜図９に示すように第２貫通部１３２は、油通路１３０の後端部に形成され、前後方向Ｘに延びて仕切り壁２６ａを貫通し、モータ収容部Ｓａと第１ギア収容部Ｓ１とを通じさせる。第２貫通部１３２は、後側ケース要素２６において、モータ収容部Ｓａの径方向外側に並設され、モータ収容部Ｓａに相互連通される。油通路１３０は、第１ギア収容部Ｓ１に連通される。第１ギア収容部Ｓ１及び第２ギア収容部Ｓ２は、油が貯留される油溜めを兼ねる。
【００２２】
ケース２１は、上面において、前後方向Ｘの中間部に凹部２１ａが形成される。図３〜図５、図１０に示すように、モータ３２のモータ軸３３と、ギア軸９０とは、左右方向Ｙと、上下方向Ｚとのそれぞれに異なる位置に配置される。これによって、ケース２１におけるモータ軸３３及びギア軸９０の周囲での上下方向Ｚ及び左右方向Ｙの寸法を小さくできる。
【００２３】
ケース２１は、図２に示すように、フレーム１１の前側にボルト等の締結部材を介して固定するためのブラケット部２１ｄが、左右側面の前後位置にそれぞれ備えられている。
【００２４】
図５〜図８に示すように、モータ３２は、例えばステータ３２ａと、ステータ３２ａの径方向内側に配置されたロータ３２ｂとを有する永久磁石式の３相モータである。モータ３２は、後側ケース要素２６の内側に配置される。モータ３２は、前後方向Ｘに延びるモータ軸３３と、モータ軸３３の周囲に固定された円筒状のロータコア３４と、略円筒状のステータコア３５と、３相のステータコイル３７とを有する。ステータ３２ａは、ステータコア３５と、３相のステータコイル３７とを含んで形成される。ロータ３２ｂは、ロータコア３４と、ロータコア３４の周方向複数位置に配置される永久磁石（図示せず）とを含んで形成される。永久磁石は、例えばロータ径方向に磁化される。ロータコア３４及びステータコア３５は、鉄、ケイ素鋼等の磁性材料により形成される。ステータコア３５は、後側ケース要素２６の内側に嵌合固定される。このとき、図８に示すように、後側ケース要素２６の内側面とステータコア３５の外周面との間には、ケース２１に対するステータコア３５の回転を阻止する凹凸係合部１３３が設けられる。凹凸係合部１３３は、コア側凹凸係合部に相当する。凹凸係合部１３３は油面より下方に位置して、ステータコア３５の外周面の周方向一部である下端部に、径方向外側に突出するように形成された突部１３４と、後側ケース要素２６の内側面の後述の大径筒部１４０の周方向一部に形成された凹部１４１とで形成される。突部１３４は、凹部１４１に係止される。これにより、ケース２１に対するステータコア３５の回転が阻止される。このため、移動体駆動ユニット２０の製造時に、ステータコア３５の外周面に形成された後述のステータ油溝３５ａと、ケース２１に形成された後述のケース油溝１４２との、モータ周方向についての位置を容易に一致させることができる。また、前記凹部１４１は大径筒部１４０の、正面視で見て最底部に設けてあり、この位置はモータ駆動状態では確実に油面下にあり、ここに配置されるコイルエンド３８は油に常時浸かっているので冷却のための給油が不要でありステータ油溝３５ａとケース油溝１４２とを形成しない代わりに凹凸係合部１３３を設けることとしている。したがって突部１３４は、回り止めに必要な強度を備える大きさに設定することができる。
【００２５】
ステータコア３５の内周面の複数位置には、内周側に突出する複数のティース３６が形成される。３相のステータコイル３７は、複数のティース３６に、集中巻で巻回される。これにより、ステータコア３５の周方向複数位置の内周側にはステータコイル３７が巻回される。３相のステータコイル３７は、複数のティース３６に、分布巻で巻回されてもよい。図６に示すように、ステータ３２ａの軸方向におけるステータコイル３７の両端部で、ステータコア３５の軸方向両端面より外側に突出する部分により、ステータ軸方向両側の複数のコイルエンド３８が形成される。
【００２６】
モータ軸３３の前後方向Ｘ両端部は、ロータコア３４の前後方向Ｘ両側面から突出する。モータ軸３３の後端部は、カバー２９の中心部にモータ収容部Ｓａ側に突出するように形成された筒部３０の内側を貫通し、筒部３０の内側に固定された軸受Ｈ１により、ケース２１に対し回転可能に支持される。カバー２９において、後側面（図５の左側面）の筒部３０の内側に通じる孔３１の開口周辺部にはキャップ８５が固定される。キャップ８５は、フランジを有する有底筒状である。キャップ８５により、孔３１の内側がケース２１の外側から密封される。
【００２７】
さらに、モータ軸３３の後端部（図５の左端部）外周面とキャップ８５との間には、回転速度検出部８６が配置される。回転速度検出部８６は、モータ軸３３の回転速度を検出する。回転速度検出部８６の代わりに、モータ軸３３の回転角度を検出する角度検出部が配置されてもよい。回転速度検出部８６または角度検出部の検出信号は、ケーブルを介して制御装置に送信される。角度検出部の検出信号が制御装置に送信される場合には、制御装置でその検出信号に基づいてモータ軸３３の回転速度を算出する。回転速度検出部及び角度検出部は、例えばレゾルバを含んで構成される。
【００２８】
モータ軸３３の前側部分（図５の右側部分）は、後側ケース要素２６の仕切り壁２６ａに形成された孔を貫通して、第１ギア収容部Ｓ１に配置される。モータ軸３３の前側部分は、仕切り壁２６ａの孔に固定された軸受Ｈ２と、前側ケース要素２２の内側に固定された軸受Ｈ３とによって、ケース２１に対し回転可能に支持される。モータ軸３３の前側部分において、２つの軸受Ｈ２，Ｈ３の間には第１ギア部３３ａが直接に形成される。第１ギア部３３ａは、例えば、静粛性に優れるヘリカルギアである。第１ギア部３３ａには、後述のギア軸９０に固定された第２ギア部９５が噛み合う。
【００２９】
３相のステータコイル３７から導出されたケーブル３９は、後側ケース要素２６の上端部に突き出るように固定された３つのコネクタ８７に接続される。バッテリからの電力は、インバータ（図示せず）に出力され、インバータに接続された３相の電線（図示せず）が３つのコネクタ８７に接続される。バッテリは、例えば車両の運転席１４または荷台１９の下側に配置される。インバータは、直流電力を３相の交流電力に変換する。モータ３２の駆動時には、インバータが制御装置により制御され、３つのコネクタ８７を介して３相のステータコイル３７に３相の交流電力が出力される。このため、ステータコア３５に回転磁界が発生し、その回転磁界によりロータコア３４及びモータ軸３３が回転する。なお、電動モータは、ＤＣモータ、誘導モータ等、３相の永久磁石式モータ以外としてもよい。
【００３０】
ギア軸９０は、前後方向Ｘに延びており、前端部（図５の右端部）に、ベベルギア９１が形成される。ベベルギア９１は、例えばスパイラルベベルギアである。ギア軸９０は、前側ケース要素２２の後側部分（図５の左側部分）の内側に、モータ軸３３の前側部分と平行に並んで配置される。
【００３１】
ギア軸９０の後端部（図５の左端部）は、後側ケース要素２６の仕切り壁２６ａに形成された孔に固定された軸受Ｈ４により、ケース２１に対し回転可能に支持される。ギア軸９０の前端部（図５の右端部）は、前側ケース要素２２の仕切り部２３に形成された筒部２４の内側に固定された軸受Ｈ５により、ケース２１に対し回転可能に支持される。
【００３２】
ギア軸９０において、２つの軸受Ｈ４，Ｈ５の間の外周面には、第２ギア部９５の内周面が相対回転を阻止した状態で固定される。第２ギア部９５は、円筒状のカラー９６を介して２つの軸受Ｈ４，Ｈ５で前後方向Ｘに挟まれる。第２ギア部９５は、モータ軸３３に形成された第１ギア部３３ａと噛み合う。ギア機構９４は、第１ギア部３３ａと第２ギア部９５とを含んで形成される。これにより、ギア機構９４は、モータ軸３３からギア軸９０に動力を伝達する。
【００３３】
図３、図１１に示すように、差動ギア装置９８は、前側ケース要素２２の第２ギア収容部Ｓ２に配置される。差動ギア装置９８は、ギア軸９０のベベルギア９１に噛み合うリングギア９９、リングギア９９が固定された差動ギアケース１００、差動ギアケース１００に回転可能に支持されたピニオンギア１００ａ（図１１）、及び差動ギアケース１００内に配置されピニオンギア１００ａと噛み合う左右両側の２つのサイドギア１０１を含む。２つのサイドギア１０１は、左右２つの出力軸１１０の一端部に固定される。
【００３４】
２つの出力軸１１０は、左右方向Ｙの両側に分かれて配置され、それぞれ左右方向Ｙに延びている。２つの出力軸１１０の他端側部分は、ケース２１の左右方向Ｙ両側端から外側に突出する。これにより、差動ギア装置９８には、２つの出力軸１１０が差動連結される。出力軸１１０には、ユニバーサルジョイント（図示せず）及び車軸（図示せず）を介して前輪１５が連結される。
【００３５】
次に、モータの油冷却構造２００をより詳しく説明する。図５、図６に示すように、ケース２１とステータコア３５との間において周方向に配列された各ティース３６に対応する複数位置には、モータ軸方向に延びる油溝が形成される。具体的には、ステータコア３５の外周面及び該面と対向する後側ケース要素２６の内側面のそれぞれのモータ周方向の複数位置には、油溝として、複数のケース油溝１４２と複数のステータ油溝３５ａとが形成されている。図９に示すように、ケース油溝１４２は、断面形状がモータ周方向に長い略矩形となっている。図７Ｂに示すように、ステータ油溝３５ａの断面形状は、略三角形であり、そのモータ周方向長さは、ケース油溝１４２（図９）のモータ周方向長さより小さい。
【００３６】
さらに、図５、図６に示すように、ケース２１の内側面においてステータコア３５が対向する円筒状のコア対向面１３５の後端部（図５、図６の左端部）には、コア対向面１３５の前側Ｆより直径が大きくなった大径筒部１４０がケース２１製作の際に型抜きと同時に無加工で同時形成されるようにしている。したがって該大径筒部１４０の後端は開放している。また、該大径筒部１４０の内側は、複数のケース油溝１４２と複数のステータ油溝３５ａの各々と連通する。コア対向面１３５の後端部は、モータ軸方向の第１端側端部に相当する。コア対向面１３５の前側Ｆは、モータ軸方向第２端側に相当する。大径筒部１４０とステータコア３５の後端部外周面との間で、周方向が全周にわたって開口された第１環状空間１３６が形成されている。第１環状空間１３６は、ステータコア３５の軸方向の後端面側が開放されるように形成されている。第１環状空間１３６には、複数のケース油溝１４２と複数のステータ油溝３５ａとの後端部が通じている。
【００３７】
さらに、後側ケース要素２６の上端部で、１つのケース油溝１４２の中間部と対向する位置には、内外両側面を通じさせる油導入ポート２１ｂが形成されている。油導入ポート２１ｂは、モータ収容部Ｓａの上側に形成される。油導入ポート２１ｂは、後述の油導入継手１１８（図２）を介して外部からの油を、ケース２１の内部に導入する。これにより、油導入ポート２１ｂは、複数のケース油溝１４２と複数のステータ油溝３５ａとの少なくとも１つに接続される。油導入ポート２１ｂは、図１３に示す別例の構成のように、前記油溝に（直接に）接続する代わりに、ケース２１の内面において、ステータコア３５の軸方向中央部付近の径方向における対向部分に機械加工によってリング状に設けた大径筒部１６０の内側の第１環状空間１３６ａに接続させてもよい。第１環状空間１３６ａは、ケース油溝１４２及びステータ油溝３５ａの各々と連通する。これにより、油導入ポート２１ｂから大径筒部１６０に供給された油が、ステータコア３５の軸方向中央部付近における外周側の周方向の多くの部分に広がって、ケース油溝１４２やステータ油溝３５ａを通じて、ステータコア３５の軸方向両端部外周側から噴出される。図１３の構成では、ステータ油溝３５ａを省略し、ステータコアの外周面を単なる円筒面としてもよい。
【００３８】
図６、図９に示すように、後側ケース要素２６の内側面において、コア対向面１３５の前側（図６の右側、図９の紙面の裏側）には、コア対向面１３５に隣接して段差面１３７が形成され、その段差面１３７に隣接して前側には、小径筒部１３８が形成される。小径筒部１３８は、コア対向面１３５より直径が小さい。ステータコア３５の前側（図６の右側）端面の外周側端部は、段差面１３７に突き当てられる。
【００３９】
段差面１３７において、複数のケース油溝１４２とモータ周方向について一致する複数位置には、油噴出溝１３７ａが、外周側であるコア対向面１３５側からロータ中心Ｏ（図９）に向かう方向に形成されている。図９に示すように、油噴出溝１３７ａの断面形状は半円形であり、そのモータ周方向長さは、ケース油溝１４２のモータ周方向長さより小さい。油噴出溝１３７ａの底部は、段差面１３７の外周縁よりケース油溝１４２側に延びている。これにより、図６に示すようにステータコア３５の前側端面の外周側端部が段差面１３７に突き当てられた状態で、ケース油溝１４２とステータ油溝３５ａとの間の空間は、油噴出溝１３７ａの内側を介して、小径筒部１３８の内側の空間に通じている。
【００４０】
一方、図６に示すように、後側ケース要素２６の内側面におけるステータコア３５の後側端（図６の左側端）よりコア対向面１３５とは反対側（図６の左側）には、前記大径筒部１４０の後端開放を閉じるように環状プレートＶが配置される。環状プレートＶは、内環状プレート１４４と外環状プレート１４７とにより形成される。これにより第１環状空間１３６の周方向が全周にわたって開口されることになる。内環状プレート１４４は第１環状空間１３６の開放部（図６の右端部）に隣接して配置される。外環状プレート１４７は、内環状プレート１４４におけるコア対向面１３５とは反対側に重ねるように配置される。内環状プレート１４４及び外環状プレート１４７は、円環状である。外環状プレート１４７は、内環状プレート１４４より内径が小さい。内環状プレート１４４及び外環状プレート１４７の外径は、後述の突部１４６（図６、図７Ｂ）を除く部分でほぼ同じである。図６、図７Ｂに示すように、内環状プレート１４４の内周面において、ステータ油溝３５ａの後側端（図６の左側端、図７Ｂの紙面の表側端）と対向する位置には、複数の油噴出溝１４５が形成される。
【００４１】
内環状プレート１４４の外周面と後側ケース要素２６の内側面との間には、ケース２１に対する内環状プレート１４４の回転を阻止する凹凸係合部１４８が設けられる。凹凸係合部１４８は、プレート側凹凸係合部に相当する。凹凸係合部１４８は、内環状プレート１４４の外周面の周方向一部である上部に径方向外側に突出するように形成された突部１４６と、後側ケース要素２６の内側面の大径筒部１４０の周方向一部に形成され突部１４６が係合する凹部１４０ａとで形成される。これにより、ケース２１に対する内環状プレート１４４の回転が阻止される。このため、移動体駆動ユニット２０の製造時に、内環状プレート１４４の油噴出溝１４５と、ステータコア３５に形成されたステータ油溝３５ａとの、モータ周方向についての位置を容易に一致させることができる。一方、外環状プレート１４７は、外周面に突部を有しない。
【００４２】
図６に示すように、後側ケース要素２６の内側面の外環状プレート１４７に対して、第１環状空間１３６とは反対側には、係止リング１４９が係止されており、その係止リング１４９とステータコア３５の後側端面（図６の左側端面）とで、内環状プレート１４４及び外環状プレート１４７が挟まれている。上記のように外環状プレート１４７の内径は、内環状プレート１４４の内径より小さい。これにより、図６の矢印αで示すように、外部からケース油溝１４２及びステータ油溝３５ａの間に送られた油は、油導入ポート２１ｂを介して、ケース油溝１４２及びステータ油溝３５ａの第１環状空間１３６側端部（図６の左側端部）に送られる。そして、図６に矢印βで示すように、油は、内環状プレート１４４の油噴出溝１４５を含む内周面と外環状プレート１４７の内周縁部の側面とで囲まれた第２環状空間Ｌ（図６）によって流れる向きが変えられ、第１環状空間１３６側（図６の左側）のコイルエンド３８に向けて噴射される。
【００４３】
後述のように、油導入ポート２１ｂには図２に示す油導入継手１１８が接続され、その油導入継手１１８を介して、外部油路１２０からケース２１内に油が導入される。その油は、複数のケース油溝１４２の１つから、第１環状空間１３６と、複数のケース油溝１４２及び複数のステータ油溝３５ａにおける第１環状空間１３６とは反対側端部（図６の右側端部）とから、ステータ３２ａの軸方向におけるステータコイル３７の両端部である複数のコイルエンド３８に向けて噴射される。このとき、第１環状空間１３６に入り込んだ油は、周方向に流れる間に、油導入ポート２１ｂが接続されたケース油溝１４２以外の複数のケース油溝１４２と、それらのケース油溝１４２に対向するステータ油溝３５ａとの間に入り込んで、前側（図６の右側）に流れる。そして、複数のケース油溝１４２及びステータ油溝３５ａの第１環状空間１３６とは反対側端部から、油噴出溝１３７ａの内側を介して、第１環状空間１３６と反対側（図６の右側）のコイルエンド３８に向けて油が噴射される。したがって、ステータコア３５の軸方向両端部外周側から、ステータ軸方向両端の複数のコイルエンド３８に向けて油が噴出される。
【００４４】
さらに、図２に示すように、ケース２１の前端部（図２の右端部）の右面下端部には油排出継手１１６が接続される。このために、図１１に示すように、ケース２１の内側の第２ギア収容部Ｓ２の底部に通じる油排出ポート２１ｃが形成される。油排出継手１１６は油排出ポート２１ｃに接続される。油排出継手１１６は、配管継手に相当する。ケース２１の後端部（図２、図５の左端部）の上部に形成された油導入ポート２１ｂ（図５）には、油導入継手１１８（図２）が接続される。油排出継手１１６と油導入継手１１８とには、ケース２１の外側で外部油路１２０（図２）を形成する配管が接続される。なお、該配管には放熱フィンを備えているのが好ましい。これにより、外部油路１２０の両端は、油排出ポート２１ｃと油導入ポート２１ｂとに接続される。移動体駆動ユニット２０の製品を搬送する場合には、油導入継手１１８（図２）ならびに油排出継手１１６（図２）に代えてそれぞれ油封止部材（図示せず）が取り付けられる。
【００４５】
図２に示すように、外部油路１２０は、電動ポンプ１２１と、油クーラ１２３とを含んでいる。油排出継手１１６から排出された油が、電動ポンプ１２１で吸引され、油クーラ１２３で冷却された後、油導入継手１１８に送られる。油導入継手１１８からケース２１の内側に送られた油は、図６に示すように、モータ収容部Ｓａの内側で、モータ３２のステータコア３５の上側から前後方向（図６の左右方向）両側を下側に流れる。このとき、上記のように、油は、第１環状空間１３６と、複数のケース油溝１４２及び複数のステータ油溝３５ａの第１環状空間１３６とは反対側端部とから、軸方向両側の複数のコイルエンド３８に向けて噴射され、複数のコイルエンド３８を冷却する。例えば、上記のように、油は、ステータ油溝３５ａ及びケース油溝１４２の第１環状空間１３６側端部から、内環状プレート１４４の内側の第２環状空間Ｌを介して、第１環状空間１３６側のコイルエンド３８に向けて噴射される。このとき、第１環状空間１３６内で油が上側から周方向に流れながら、図７Ａの矢印Ｋで示すように、周方向について複数の油噴出溝１３７ａと一致する位置から、ロータ中心Ｏ側に向かって、第１環状空間１３６側（図７Ａの紙面の表側）のコイルエンド３８に向けて油が噴出される。
【００４６】
モータ収容部Ｓａの下部に流れた油は、図５に示す第１ギア収容部Ｓ１を通って、第２ギア収容部Ｓ２に送られる。そして、第２ギア収容部Ｓ２から油排出継手１１６（図２）を通って外部油路１２０に戻る。これにより、油が、外部油路１２０、モータ収容部Ｓａ、第１、及び第２ギア収容部Ｓ１，Ｓ２を循環し、その循環によって、図５に示すモータ３２の冷却と、ギア機構９４、及び差動ギア装置９８の潤滑とが行われる。図２で示す外部油路１２０、電動ポンプ１２１、油クーラ１２３の位置は、油循環回路を概念的に説明するために示したものであり、実際の配置位置を示すものではなく、電動ポンプ１２１、油クーラ１２３は車両のボンネット内に配置するのが好ましい。
【００４７】
図１２は、図２とは油排出継手１１６の取付位置を変更した場合における図２のＪ部拡大相当図である。図２、図１２に示すように、ケース２１の外側面で、油排出ポート２１ｃ（図１１）を中心として油排出ポート２１ｃの周囲には、少なくとも２つのネジ孔として、３つのネジ孔１５０ａ、１５０ｂ、１５０ｃが形成される。３つのネジ孔１５０ａ、１５０ｂ、１５０ｃは、最下端の第１ネジ孔１５０ａと最上端の第２ネジ孔１５０ｃとそれらの間の中間ネジ孔１５０ｂとを有する。図２〜図１１では、第１ネジ孔１５０ａにネジ結合されたネジとしてのボルト１５１を用いて、油排出継手１１６がケース２１に結合されている。
【００４８】
図１２に示すように、油排出継手１１６は、第１ネジ孔１５０ａの代わりに、第２ネジ孔１５０ｃ（図２）を用いて結合可能に形成される。油排出継手１１６は、第１ネジ孔１５０ａの代わりに、中間ネジ孔１５０ｂを用いても、結合可能に形成される。これによって、車両の内部構造によりそれらとの干渉を避けるべく屈曲させる外部油路１２０のレイアウトに応じて、油排出継手１１６の向きを容易に変更できるとともに、移動体駆動ユニット２０の多くの部品を共通に使用できる。油排出ポート２１ｃの周囲に形成するネジ孔１５０ａ、１５０ｂ、１５０ｃは、３つに限定せず、第１ネジ孔及び第２ネジ孔の２つのみ、または４つ以上としてもよい。
【００４９】
さらに、移動体駆動ユニット２０は、少なくとも第２ギア収容部Ｓ２に設けられ、油排出ポート２１ｃに吸引される油を清浄化する清浄化手段として、第１磁石１５３（図５）及びフィルタ１５４（図１１）を有する。図５に示すように、ケース２１の前側の底部にはドレンプラグ１５２が外側から貫通するようにネジ結合されており、第１磁石１５３は、ドレンプラグ１５２の先端部に取り付けられて第２ギア収容部Ｓ２に配置される。第１磁石１５３は差動ギア装置９８等のギアの磨耗により生じた、第２ギア収容部Ｓ２中の油中の鉄粉等の異物を磁力で吸着することで、油排出ポート２１ｃ（図１１）に向かって、電動ポンプ１２１（図２）で吸引される前の油を清浄化する。
【００５０】
図１１に示すように、フィルタ１５４は、油排出ポート２１ｃにおいて、油排出継手１１６と反対側であるケース２１内側に配置するように接続される。フィルタ１５４は、フランジに網目かご状のフィルタ本体が接続されており、フランジが油排出ポート２１ｃに固定される。これにより、第２ギア収容部Ｓ２中の油に異物が含まれる場合にその異物を捕捉し、または外部油路１２０（図２）への異物の排出を阻止して、油排出ポート２１ｃに向かって吸引される油を清浄化する。上記のように第１磁石１５３及びフィルタ１５４により、油を清浄化できるので、モータ３２のロータ３２ｂ（図５）に異物が大量に付着することを防止して、それによりモータ３２に回転抵抗が発生することを防止して伝動効率の良い状態を持続できる。また、外部油路１２０にフィルタを設ける必要がなくなる。
【００５１】
さらに、図３に示すように、ケース２１の仕切り壁２６ａの下側端部には、モータ収容部Ｓａと第１ギア収容部Ｓ１とを通じさせる貫通孔２６ｂが形成される。移動体駆動ユニット２０は、貫通孔２６ｂに嵌合固定された円板状の第２磁石１５５を備える。第２磁石１５５の両側面がモータ収容部Ｓａと第１ギア収容部Ｓ１とにそれぞれ露出するように第２磁石１５５の外周面を貫通孔２６ｂの内周面が保持しつつ軸線方向への抜け止めが施されている。これにより、第２磁石１５５は、モータ収容部Ｓａ中及び第１ギア収容部Ｓ１中の油に含まれる鉄粉等の異物を磁力で吸着することで、油排出ポート２１ｃ（図１１）に向かって吸引される油を清浄化する。このため、１つの第２磁石１５５でモータ収容部Ｓａ中及び第１ギア収容部Ｓ１中の両方の油に含まれる鉄粉等の異物を効率よく除去できる。
【００５２】
上記のモータの油冷却構造２００によれば、ケース２１内の第１環状空間１３６と、複数のケース油溝１４２及びステータ油溝３５ａの第１環状空間１３６とは反対側端部とから、モータ軸方向両側の複数のコイルエンド３８に向けて油が噴射される。これにより、第１環状空間１３６と、第１環状空間１３６に通じる複数のケース油溝１４２及びステータ油溝３５ａの第１環状空間１３６とは反対側端部との、周方向の多くの部分から油をコイルエンド３８に向けて噴射できる。このため、モータ３２の周方向について油が接触する面を多くすることができるので、効率よくモータ３２の冷却性を向上できる。
【００５３】
上記では、油導入ポート２１ｂが１つずつのケース油溝１４２とステータ油溝３５ａとに接続される場合を説明したが、油導入ポートは複数ずつのケース油溝とステータ油溝とに接続されてもよい。
【００５４】
また、上記では、モータ３２の第１環状空間１３６側に油を噴出させるために内環状プレート１４４及び外環状プレート１４７を用いているが、１つの環状プレートのみを用いてもよい。このとき、環状プレートは、図６に示した内環状プレート１４４と同様の形状を採用できる。環状プレートは、ケース２１の内側面におけるステータコア３５の軸方向における第１環状空間１３６側端部と対向する部分、またはステータコア３５の第１環状空間１３６側端より外側に配置される。第１環状空間１３６から、環状プレートの内周面とステータコア３５の外周面との間の隙間を介して、第１環状空間１３６側のコイルエンドに向けて油が噴射される。このとき、環状プレートは、ケース２１の内側面におけるステータコア３５の第１環状空間１３６側端部と対向する部分に配置され、環状プレートの内周面の複数位置に、図６の内環状プレート１４４と同様に油噴出溝が形成されてもよい。環状プレートは、例えば図６に示した係止リング１４９で環状プレートをステータコア３５に軸方向に押し付けることでケース２１に固定する。このとき、図６に示した凹凸係合部１４８と同様に、ケース２１の内側面と環状プレートの外周面との間に、ケース２１に対する環状プレートの回転を阻止するプレート側凹凸係合部を設けてもよい。このように、モータ３２の第１環状空間１３６側に油を噴出させるために１つのみの環状プレートを用いることにより部品点数を削減できる。
【００５５】
また、モータ３２の第１環状空間１３６側に油を噴出させるために１つのみの環状プレートを用いる場合において、環状プレートは、図６に示した外環状プレート１４７と同様に、ケース２１の内側面におけるステータコア３５の第１環状空間側端より外側に配置される構成としてもよい。このとき、環状プレートは、内周面及び外周面がそれぞれ円形である円板状としてもよい。第１環状空間１３６から、環状プレートの内周面とステータコア３５の外周面との間の隙間を介して、第１環状空間１３６側のコイルエンドに向けて油が噴射される。この構成によれば、環状プレートの形状を単純化できるので、製造コストを低減できる。
【００５６】
さらに、図１〜図１１に示した構成において、ケース２１にケース油溝１４２が形成されるが、ステータコアにはステータ油溝が形成されない構成としてもよい。このとき、ステータコアは、ケース２１に対し焼き嵌めまたは圧入で固定される。ステータコアの外周面は、軸方向に延びる溝がない単純円筒面とする。この構成によれば、ステータ油溝とケース油溝１４２とのモータ周方向位置を一致させる必要がなくなるので、ステータコアとケース２１との間に、ステータコアの回転を阻止するコア側凹凸係合部を設ける必要がなくなる。このため、ステータコアの形状を単純化できるので、製造コストを低減できる。
【符号の説明】
【００５７】
１０  電動車両（車両）、１１  フレーム、１２  プラットフォーム、１３  フロントカバー、１４  運転席、１５  前輪、１７  後輪、１９  荷台、２０  移動体駆動ユニット、  ２１  ケース、２１ａ  凹部、２１ｂ  油導入ポート、２１ｃ  油排出ポート、２２  前側ケース要素、２３  仕切り部、２４  筒部、２６  後側ケース要素、２６ａ  仕切り壁、２６ｂ  貫通孔、２９  カバー、３０  筒部、３１  孔、３２  モータ、３２ａ  ステータ、３２ｂ  ロータ、３３  モータ軸、３３ａ  第１ギア部、３４  ロータコア、３５  ステータコア、３５ａ  ステータ油溝、３６  ティース、３７  ステータコイル、３８  コイルエンド、３９  ケーブル、４０  移動体駆動ユニット、４１  エンジン、４３  動力伝達部、４４  ＣＶＴ、８２  アクセルペダル、８５  キャップ、８６  回転速度検出部、８７  コネクタ、８８  動力伝達機構、９０  ギア軸、９１  ベベルギア、９４  ギア機構、９５  第２ギア部、９６  カラー、９８  差動ギア装置、９９  リングギア、１００  差動ギアケース、１０１  サイドギア、１１０  出力軸、１１６  油排出継手、１１８  油導入継手、１２０  外部油路、１２１  電動ポンプ、１２３  油クーラ、１３０  油通路、１３１  第１貫通部、１３２  第２貫通部、１３３  凹凸係合部、１３５  コア対向面、１３６，１３６ａ  第１環状空間、１３７  段差面、１３７ａ  油噴出溝、１３８  小径筒部、１４０  大径筒部、１４０ａ  凹部、１４１  凹部、１４２  ケース油溝、１４４  内環状プレート、１４５  油噴出溝、１４６  突部、１４７  外環状プレート、１４８  凹凸係合部、１４９  係止リング、１５０ａ  第１ネジ孔、１５０ｂ  中間ネジ孔、１５０ｃ  第２ネジ孔、１５１  ボルト、１５２  ドレンプラグ、１５３  第１磁石、１５４  フィルタ、１５５  第２磁石、１６０  大径筒部、２００  油冷却構造。
【図１】
2020120556.tif 000003
【図２】
2020120556.tif 000004
【図３】
2020120556.tif 000005
【図４】
2020120556.tif 000006
【図５】
2020120556.tif 000007
【図６】
2020120556.tif 000008
【図７Ａ】
2020120556.tif 000009
【図７Ｂ】
2020120556.tif 000010
【図８】
2020120556.tif 000011
【図９】
2020120556.tif 000012
【図１０】
2020120556.tif 000013
【図１１】
2020120556.tif 000014
【図１２】
2020120556.tif 000015
【図１３】
2020120556.tif 000016